(57)【特許請求の範囲】
【請求項１】
容器１０が、中心区域１４と周辺区域１６とを有し、該周辺区域１６が、前記中心区域１４に外接し、かつ、外接した個所から外方に向って延在し、前記容器１０の境界を画定する縁部１８で終端し、前記中心区域１４に第１面が画定され、前記容器１０が、相互に離間された第１マルチプレーナ折り目２０および第２マルチプレーナ折り目２０の回りに関節運動自在であり、前記第１マルチプレーナ折り目２０および第２マルチプレーナ折り目２０が、前記第１面に配置されると共に前記第１面で第１の方向に延在し、前記第１マルチプレーナ折り目２０および第２マルチプレーナ折り目２０が、前記第１の方向に対して垂直、かつ、前記第１面に対して垂直なベクトル成分を有する第２の方向に識別可能な距離延在し、前記第１マルチプレーナ折り目２０および第２マルチプレーナ折り目２０が、前記縁部１８に隣接する相互に離間された２点に集まることを特徴とする容器。
【請求項２】
前記容器１０が、２個のコネクタ折り目４０を備え、該２個のコネクタ折り目４０が相互に離間した前記第１マルチプレーナ折り目２０および前記第２マルチプレーナ折り目２０と接続していることを特徴とする請求項１に記載の容器。
【請求項３】
前記コネクタ折り目４０が、前記第１マルチプレーナ折り目２０および前記第２マルチプレーナ折り目２０に対して垂直に形成されていることを特徴とする請求項２に記載の容器。
【請求項４】
少なくとも前記第１マルチプレーナ折り目２０および前記第２マルチプレーナ折り目２０の一部分が並行である請求項１に記載の容器。
【請求項５】
前記第１マルチプレーナ折り目２０および前記第２マルチプレーナ折り目２０が、脆弱線から形成されていることを特徴とする請求項１に記載の容器。
【請求項６】
前記容器１０が、第１開放位置と第２閉鎖位置との間を関節運動自在であり、前記容器が、さらに締結装置６０を有し、該締結装置６０が、前記容器１０が使用される際に、前記容器１０を前記第２閉鎖位置に保持することを特徴とする請求項１に記載の容器。
【発明の詳細な説明】
【０００１】
発明の分野
本発明は容器に関するものであり、特に使用に際して２位置、すなわち容器内容物を受け、展示しまたは分与するための第１位置と、容器内容物を包囲する第２位置と、をとることのできる容器に関するものである。容器は使い捨て可能であるか、または再使用可能である。
【０００２】
発明の背景
使い捨て容器は当業界で公知である。使い捨て容器は通常のパッケージ、出荷用容器、カートン、紙皿、クラム・シェル、バッグなどを含む。
【０００３】
当業界においては、さらに有効な低価格容器を製造するための多くの試みが成されている。特に当業者は板紙、プラスチックまたはその他の低コスト材料から成る使い捨て容器に対して注目してきた。このような容器は、製品を受け、組織化、収容、輸送、貯蔵、展示および分与することの種々の組合わせのために使用される。
【０００４】
業界公知のこのような容器の１グループは全体として折り畳みカートンと呼ばれる。折り畳みカートンは代表的には、切断されてヒンジ連結された複数のパネルを生じるようにスコアラインを付けられた一枚の素材から成る。これらのパネルは折り畳まれると四面体の容器または業界公知のいずれかの形状の容器を形成する。その例は、１９８１年９月１５日発行のページの米国特許第4,289,268号明細書、ここに引用する１９８３年３月１日発行のクレイン等の第4,3755,258号明細書、１９８４年５月１５日発行のカーバの第4,448,308号明細書、１９９１年８月２７日発行のマクネイルの第5,042,715号明細書、１９９２年９月１日発行のウオーウイック等の第5,143,210号明細書、および１９９４年１月４日発行のチュング・ピアオの第5,275,331号明細書を含む。しかし、これらのすべての試みは効果的に作用するためには複雑なパタンと、高度公差の切断と、接着剤またはその他の接着手段による組立てとを必要とする。
【０００５】
また当業者は特に食品用として一枚の素材から成る容器を製造し、成形しまた変形することに大きな注意を払ってきた。後者の工程においては一枚の素材が与えられる。この素材はその外周区域に放射方向グルーブを備える。この素材を相互に嵌合するダイスの中に挿入し、プレスする。放射方向グルーブがダイスによって変形された素材の集積を生じる。その例は１９６２年５月８日発行のカールソンの米国特許第3,033,434号明細書、ここに引用する１９７７年５月３１日発行のモリス等の第4,026,458号明細書、１９８６年８月１９日発行のマークス等の第4,606,496号明細書、１９８６年９月２日発行のヴァン・ハンデル等の第4,609,140号明細書、１９８８年１月２６日発行のヴァン・ハンデル等の第4,721,500号明細書、１９９３年７月２７日発行のバウムの第5,230,939号明細書、１９９４年７月５日発行のチェシャイア等の第5,326,020号明細書を含む。しかし当該技術のこれらの試みのいずれも、明細書に記述された物品をその最初に提供された構造以外の構造で使用する方法を与えるものではない。代表的には食品容器などの物品は傾斜側面を備えた全体としてとして開いた形状で与えられる。これらの傾斜側壁は食品容器からの食品の漏れの発生を低減させる。
【０００６】
多くの場合、ユーザにとって食品を受け、展示しまたは分与するために開くことのできる容器が便利である。また他の場合には、食品をカバーしまたはその他の形で包囲することのできる容器が評価される。多くの状況において食品のカバーと包囲が有益である。これらの状況は代表的には食品の貯蔵と輸送の場合を含む。当業者は前記以外の用途および利便を考えることができよう。例えば、食品をマイクロ波オーブンの中で調理（または加熱）するために容器が食品容器として使用される場合に、食品のカバーまたは好ましくは包囲は食品の跳ね返りを低減させ、また水分の損失を低下させる。またユーザは調理と食事との間に食品を暖かに保持するために食品をカバーすることを望む場合がある。また食品が第１箇所において調理また／あるいは提供され、第２箇所において飲食されるような場合に、食品の輸送中にこれをカバーすることが望ましい場合がある。
【０００７】
このような便益を生じる先行技術の１つの試みはクラム・シェルである。クラム・シェルは相互にヒンジ連結された容器およびふたから成る。容器とふたの係合面は好ましくは折り目回りに対称的とし、このふた／容器組立体を閉鎖状態に保持するためにロック機構を使用することができる。クラム・シェルは代表的にはファーストフード・レストランにおいてハンバーガー、チキン・ナゲットを提供するために使用される。しかしクラム・シェルの使用は欠点がある。例えばクラム・シェルは代表的には小さく、ハンバーガーのサイズに近い。一皿の食品全部を提供しようとすれば、クラム・シェルはこれを収容するサイズとしなければならないであろう。この場合、ふたが食品全部をカバーできるようにするため、同一サイズの食品容器とふたとを使用しなければならないであろう。しかし、このような構造は材料の浪費を伴なう。代表的には食品の皿全体を同時にカバーする必要もなく、また望まれもしない。例えば、後で二、三の食品が加熱しないで食品容器に追加される場合がある。クラム・シェルのフルサイズのふた／容器組立体は不必要である。クラム・シェルの例は１９８８年１０月１８日発行のアレキサンダーの米国特許第4,778,439号明細書、１９９３年４月２７日発行のソレンソンの第5,205,476号明細書および１９９６年１１月２０日発行のニアリの第5,577,989号明細書に記載され、これらの開示をここに引用する。１９９７年１月２２日公表のナイトの英国特許第2,302,533号明細書は床部分、脊椎部分および三角形延長部を有する密封可能容器を開示している。
【０００８】
本件発明は、２つの相異なる位置において使用することのできる容器を提供する。本件発明の容器は製品を受け、展示しまたは分与するための第１開放位置と、製品をカバーし包囲する第２閉鎖位置とにおいて使用することができる。最後に本件発明の容器は２つの相異なる位置において安定である。
【０００９】
発明の概要
本発明は容器に関するものである。この容器は複数のマルチプレーナ折り目の回りに関節運動自在である。折り目は容器を内側脊柱部と外側ウイングとに分割する。非対称的容器も考えられるが、好ましくは各ウイングは他方のウイングの異性体である。
【００１０】
他の実施例において本発明は双安定容器を含む。この容器は、製品を受け展示しまたは分与するための第１開放位置と、製品をカバーし包囲する第２閉鎖位置との間を変形自在（以下、変換可能ともいう。）である。容器は中心区域と、外周周辺区域（以下、外周隣接周辺区域ともいう。）とを有する。容器が開放位置にある時、この周辺区域は好ましくは中心区域に対して隆起している。
【００１１】
本発明の詳細な説明
図１乃至図３について述べれば、本発明による容器１０は皿、トレー、ボウル、化粧品ケース、薬剤ディスペンサ、クラム・シェルなどの比較的浅い容器、またはその他の当業界公知の形状または用途の容器である。
【００１２】
容器１０は第１開放位置と第２閉鎖位置との間において関節運動自在である。第１開放位置において、本発明による容器１０の中心区域１４は巨視的にモノプレンであって、その上に配置される製品にアクセスすることができる。第２閉鎖位置において、容器１０はより小さな底面を有し、製品をカバーしまたは包囲する事もできる。第１位置と第２位置は容器１０の構造特性によって決定される。第１位置と第２位置は、例えば先行技術の紙皿などの容器をほぐして捨てる場合のようにランダムにまたは偶然に生じるのではない。
【００１３】
本発明による装置１０は双安定とみなされる。「双安定」とは容器が第１位置または第２位置のいずれにも無期限にとどまりうることを意味する。容器１０は、外部作用なしでは第１位置から第２位置に、または第２位置から第１位置に、またはいずれかの位置から中間位置に移動することはできない。また容器１０は外部作用なしでは、図４に図示のような他の位置または状態をとることはできない。さらに容器１０は第１位置において予想外の剛性を示す。
【００１４】
図１乃至図３の容器１０をさらに詳細に検討すれば、この容器１０は中心区域１４と外周周辺区域１６とを含む。中心区域１４と周辺区域１６は２つの相異なる面の中に配置されている。中心区域１４は容器１０のＸ−Ｙ面を画成する。容器１０のＺ方向はＸ−Ｙ面に対して垂直である。もちろん当業者には明かなように、容器１０は当然に中心区域１４から周辺区域１６への遷移区域を含む。通常の用途において、周辺区域１６が代表的には中心区域１４に対して隆起している。周辺区域１６は中心区域に対して非直角の角度で合体している。
【００１５】
周辺区域１６の境界と形状は容器１０の縁部１８によって決定される。また容器１０の周辺区域１６と中心区域１４のサイズおよび相対的比率は容器１０の正確なサイズおよび所望の用途によって変動することを理解されたい。図１には丸い容器１０が図示されているが、当業者には明かなように、本発明の用途に従って容器１０の任意適当な形状および深さを選択することができ、また本発明はこの選択に限定されない。他の適当な形状は正方形、長方形、楕円形または種々の多角形とすることができる。
【００１６】
中心区域１４または周辺区域１６のいずれも平坦で、Ｘ−Ｙ面に対して平行またはだいたい平行であることは必要ない。当業者には明かなように、例えば全体として凹形の底部を有するボウルは本発明において使用するのに適している。中心区域１４と周辺区域１６がＺ方向において離間されていさえすればよい。容器１０が開かれて全体として水平位置にある時の中心区域１４の底面から周辺区域１６の上側面までのＺ方向距離が容器１０のＺ方向深さ１９と呼ばれる。容器１０の相異なる部分において相異なるＺ方向深さ１９が存在するとすれば、このＺ方向深さ１９は脊椎折り目２０の（下記に説明される）頂点５０においてとられる。相異なる頂点５０が相異なるＺ方向深さ１９を決定することを理解されたい。図５は二重のＺ方向深さ１９を有する容器を示す。
【００１７】
図３について述べれば、本発明による容器１０は複数の、好ましくは２つの折り目２０によって分割される。この形状は、相互に分離された脊椎折り目２０と呼ばれる第１および第２折り目２０を有する。
【００１８】
脊椎折り目２０は容器１０を２つのウイング２２に分割し、これらのウイング２２の間に脊椎部分２４が配置される。ウイング２２は脊椎部分２４の外側にある。通常、各ウイング２２は他方のウイングとの等長部分である。しかし本発明の主旨の範囲内において図５乃至図１０に図示のような非対称的構造の望ましい場合があることをみとめなければならない。
【００１９】
脊椎折り目２０はウイング２２をいずれかの脊椎折り目２０回りに関節運動させることができる。好ましくは、関節運動は可逆的であって、さらに好ましくは一定サイクルを継続可能であるので、容器１０は多数回開閉される。
【００２０】
容器１０の両方の部分、すなわちウイング２２と脊椎部分２４が脊椎折り目２０回りに関節運動自在とする。もちろん関節運動は脊椎折り目２０に対して全体として垂直方向に生じる。
【００２１】
もちろん脊椎折り目２０は全体として相互に平行であり対称的である。しかし、脊椎折り目２０は相互の方に多少とも凹形をなし、または多少とも相互と反対側に凹形をなし、またはその組合わせとすることができる。容器１０についてクラム・シェルが選択された場合、脊椎折り目２０はクラム・シェルのヒンジに対して全体として垂直でなければならない。
【００２２】
図１と図２について脊椎部分２４をさらに詳細に検討すれば、この脊椎部分２４は、脊椎折り目２０の主方向に対して全体として垂直にとられた幅２６を有する。脊椎折り目２０が直線でなければ、脊椎部分２４の幅２６は脊椎折り目２０が周辺区域１６を横切る（以下、切るともいう。）点において脊椎折り目２０に対して垂直にとられる。脊椎部分２４の幅２６は、容器１０が図２の閉鎖位置にある時の容器１０の外側面にそって第１脊椎折り目２０の中心線から第２脊椎折り目２０の中心線まで前記の垂線にそって測定される。
【００２３】
脊椎部分２４の幅２６は容器の双安定特性を生じるために重要である。好ましくは、脊椎部分２４の幅２６は前記の頂点５０においてとられた、中心区域１４から周辺区域１６までのＺ方向深さ１９の近似的に２倍とする。このように脊椎部分２４の幅２６をＺ方向深さ１９の近似的に２倍とすることにより、容器１０は不当な応力を受けるまたは不安定になることなく閉鎖位置にとどまることができる。直径方向に対向する頂点５０の間においてＺ方向深さが変動する場合には、脊椎幅２６を先細型とすることができる。
【００２４】
図７乃至図８について述べれば、脊椎部分２４が容器１０に対してまたは丸い容器１０の直径Ｄに対して定心される必要はない。例えば、脊椎部分２４は丸い容器の直径Ｄに対して片寄らせることができる。このような構造が可能でありまた本発明の主旨の範囲内にある。このような構造は容器の内容物の部分的カバーを可能とする。このような構造は、内容物と大気との間の通気または接触を増大することが望ましい場合に有効である。
【００２５】
図９乃至図１０について述べれば、脊椎部分２４の共通点３０が直径Ｄ上に定心され、脊椎折り目２０がこの直径から幅方向に不等間隔に配置されている。この構造においては、共通点３０が弦の上に配置された図７および図８と相違し、これらの共通点３０は直径的に対向する。図９乃至図１０の実施例においては、ウイング２２は相互に等長部分ではなく、一方のウイング２２が幅方向において他方のウイング２２より短くなる。しかし、図１０に図示のように、容器１０が閉鎖位置まで関節運動させられた時、脊椎部分２４はもはやウイング２２に対して垂直でなく、これらのウイングに対して非垂直関係に配置されることを認めなければならない。
【００２６】
図１，図７および図９について述べれば、脊椎折り目２０が容器１０の外周区域に近づくと、これらの脊椎折り目は相互の方に集中する。この集中に際して脊椎折り目２０は共通点３０において相互に交わり容器１０の周辺区域１６と並置される。好ましくは共通点３０は周辺区域１６のＺ方向最高レベルと一致する。
【００２７】
図１２Ａおよび図１２Ｂに図示のように、脊椎折り目２０は共通点３０に向かって所定の方位角３２Ａで集中することができる。脊椎折り目２０間の狹角として測定された瞬間的方位角３２Ａは、容器１０の周辺部分１６が容器１０の中心区域１４から上昇するＺ方向の瞬間角度３２Ｂの２倍に名目上等しい。
【００２８】
図１，７，９，１１および１２Ａについて述べれば、脊椎折り目２０は当業界公知の任意手段によって備えることができる。好ましくは脊椎折り目２０は弱化線（以下、脆弱線ともいう。）からなり、脊椎折り目２０を横断する曲げ応力を低下させて容器１０を所定の形に折り曲げる。脊椎折り目２０は容器１０の引張側面３６または圧縮側面３８上に配置される。適当な脊椎折り目２０はスコア・ライン、および容器の用途が液体を含まない場合にはミシン目とすることができる。脊椎折り目２０を形成するために、容器１０の素材を切断しまたは除去することができる。しかし好ましくは脊椎折り目２０を形成するために容器素材を圧縮しまたは濃密化する。折り目付けの設計および技術は当業界公知である。容器がプラスチックからなる場合、脊椎折り目２０は好ましくは同じく当業界公知のリビング・ヒンジとする。
【００２９】
本発明による脊椎折り目２０はマルチプレーナとすることができる。「マルチプレーナ」とは、脊椎折り目２０が１つの方向に横断し、次に少なくとも識別可能の距離だけ、第１方向に対して垂直なベクトル成分を有する方向に延在することを意味する。
【００３０】
好ましくは、脊椎折り目２０が第１方向から分岐する点は容器１０の地形的特徴または構造的特徴と一致する。これらの図に図示のように、脊椎折り目２０は全体として脊椎折り目２０が容器１０の周辺区域１６を切る点において平面性からそれる。
【００３１】
これらの点において、脊椎折り目２０に対して全体として垂直な主方向を有する１つまたは複数のコネクタ折り目４０を備えることができる。好ましくはこのような２つのコネクタ折り目４０が備えられ、図１に図示のように容器１０の中心から直径的に反対側に配置される。これらのコネクタ折り目４０は容器の周辺区域１６の内側部分に隣接して並置される。好ましくはこれらのコネクタ折り目４０は周辺区域と調和しており、従って脊椎部分２４の幅２６に等しい円弧に対する。
【００３２】
コネクタ折り目４０は脊椎折り目２０を２頂点５０において切られる。これらの頂点５０は中心区域１８の放射方向外側部分に配置され、また中心区域１４のＺ方向高さと一致する。２つの頂点５０および共通点３０（脊椎折り目２０が相互に切る点）は全体として三角形パネル５２を形成する。理論によって拘束されるつもりはないが、この三角形パネルは凹形の内側状態から凸形の外側状態まで変曲し、容器１０がその第１位置と第２位置とに留まることを支援する。しかし、三角形パネル５２の中に材料が存在することは本発明にとって重要ではないが、この材料が存在しなければ漏れを生じる可能性がある。
【００３３】
本発明による容器１０は剛性物質、特に前述のような三角形パネル５２の変曲を生じる材料で形成することができる。適当な剛性材料はフォーム、プラスチックおよびその他の合成材料を含む。容器１０はセルローズで形成することができ、その場合、ソリッド漂白亜硫酸パルプ、またはリサイクル・セルローズを含む繊維の種々の型の層で形成することができる。所望ならば容器１０の材料の選択によって、追加的な剛性および断熱特性を与えることができる。例えば容器１０は金属板または段ボールで形成することができる。
【００３４】
段ボールは、ほぼ平坦な層と段付き層とを含む。段付き層はすべての位置において平坦層に接合されることなく、平坦層から離間されたリブと平坦層に接合されたトラフとを有する。これらのリブとトラフは多くの場合にまっすぐであるが、正弦形とすることができる。リブは断面においてＳ型、Ｃ型、Ｚ型または業界公知の任意の他の形状とすることができる。さらに、所望ならば第２平坦パネルを第１平坦パネルと反対側に、段付き材料に対して接合することができる。
【００３５】
容器１０はパルプスラリから成形することができ、嵌合形状のプラテンの間において素材からプレス成形することができる。
【００３６】
所望ならば、容器１０を第２閉鎖位置に保持することを支援するため、容器１０に対して１つまたは複数の締結装置６０を取付けることができる。締結装置６０は当業界公知である。前述の実施例において、全体としてまるい形状を有する実施例の構造の場合、容器１０上に２つの締結装置６０を備えることができる。これらの締結装置６０は６０度またはこれ以上の中心角に対する位置に配置することができる。前述の実施例において、締結装置が９０度の中心角に対するように、共通点３０と容器１０が閉鎖位置にある時の脊椎部分２４から最も遠い容器１０の縁部１８上の点との中間に配置することができる。
【００３７】
適当な締結装置６０は２つの補足部分から成り、これらの補足部分が外周にそって相互に離間して、好ましくは相互に対向して配置される。それぞれの補足部分が容器１０のそれぞれの等長部分の上に配置される。適当な締結装置６０は、バックル、ラッチ、感圧接着剤、選択的活性化接着剤、フックおよびループ・ファスナー、タブおよびスロット・ファスナー、接着性ファスナー、および任意公知のファスナーとすることができる。本発明による容器１０を比較的長期間の製品貯蔵のために完全密封しようとする場合には、選択的活性化接着剤を使用することができる。締結装置６０は一般的に１９９０年１２月２５日発行のマクローリン等の米国特許第4,979,613号明細書、１９９２年５月２６日発行のトーマス等の米国第5,116,563号明細書、１９９３年７月２７日発行のトーマス等の米国第5,230,851号明細書または１９９７年９月２日発行のハミルトン等の米国第5,662,758号明細書に従って製造され、これらの特許の開示をここに引例とする。所望ならば、容器１０の一方のウイングが他方のウイングをロックしまたは機械的にラッチングするエンボス型可変形性スナップ・ファスナーを使用する事もできる。
【００３８】
使い捨て容器について前述したが、耐久性の再使用可能の容器も本発明の主旨の範囲内にあることを理解されたい。追加的に、容器１０を形成する素材は全部が同一素材である必要はない。例えば、容器１０の脊柱２４はウイング２２より重い素材で形成することができる。また、もし例えば第２ウイング２２を主として第１ウイングのふたとして使用したければ、一方のウイング２２を他方のウイング２２より長く、重くまた異なる形状に形成することができる。またウイング２２は相互に等長部分である必要はない。また図５乃至図１０に図示のような脊柱２４に対して平行方向または垂直方向において非対称的な構造も本発明の主旨の範囲内にある。さらに本発明の容器１０はその内部に相異なる区画を生じるように図６に図示のような直立仕切りを備えることができる。この直立仕切りは脊椎折り目２０を切ることができる。
【００３９】
容器１０は種々の形状および幾何図形的配列で構成することができる。しかし、当業者は可能な幾何図形的配列について実際上の限度のあることを認めるであろう。例えば丸い容器の場合、中心区域１４の半径が容器１０のＺ方向深さに近接するに従って、閉鎖位置における容器１０の容積が制限されるであろう。
【００４０】
さらに、容器１０が閉鎖位置にある時、容器の各ウイング２２の周辺区域１６は他方のウイング２２の周辺区域１６と整合する必要はない。整合した周辺区域１６を有する実施例が図示されてはいるが、当業者は図８に図示のように両方のウイング２２の周辺区域１６が相互に片寄った容器１０が望ましい場合もあることを認めるであろう。このような構造は閉鎖位置における容器およびその中の製品の通気を可能とする。
【００４１】
図１１に図示の本発明の容器構造は楕円形およびその他の非軸測的形状の容器１０に使用するのに適している。例えば容器は不等な長軸と短軸Ａ，Ｉを有することができる。このような構造において、脊椎部分２４と脊椎折り目２０はこれらの長軸と短軸Ａ，Ｉに一致した２つの相互に直交する方向を与えられる。もちろん脊柱部分２４と脊椎折り目２０は容器１０の長軸Ａと短軸Ｉとの中間方向に備えることができるのは明かである。
【００４２】
図１１の実施例は、開放位置から閉鎖位置への関節運動のために選択された方向に依存して容器１０が閉鎖位置において相異なるアスペクト比を有することができるという利点を示す。このようにして相異なる形状の内容物または製品を容器１０によって簡単に受けることができる。また、１つ以上の対称軸線を有する任意の容器形状は複数脊椎部分２４を有することができよう。これは楕円のように、脊柱部分２４の相異なる配向の故に、容器が閉鎖位置をとる際に相異なる容器形状を生じる場合に特に有効である。例えば、開いた正方形容器１０をその２辺に対して平行に関節運動させると、閉鎖位置の長方形容器１０が得られる。同一の正方形容器１０がその対角線回りに関節運動させられると、閉鎖位置において三角形の容器１０が得られる。また丸い容器１０は複数の脊椎部分２４と対応の螺旋折り目とを備えることができる。
【００４３】
前述において容器１０の種々の形状および素材について説明したが、容器１０の種々のサイズも考えられる。例えば容器１０はハンドバッグまたはポケットの中に入る程度に小さくすることができる。このような容器１０は、医薬品、化粧品、および衛生用品または個人的クレンジングなどの個人的商品の搬送に好適である。
【００４４】
あるいはまた容器１０はベッド・トレーラ上に取付けて小型トラックで搬送されるサイズとすることができる。このような容器１０は建築資材、機械類、工具などを乾燥した清浄な状態で輸送するために使用することができる。また容器１０の前述のサイズ以上または以下またはその中間の容器１０も考慮され適当に使用される。
【００４５】
さらに、種々の製品または内容物を収容し、またその最終的用途に対応するように容器１０に対して各種の特徴を付加することができる。例えば重い内容物の携帯または搬送を支援するために容器１０にハンドル（図示されていない）を備えることができる。ハンドルはウイング２２，脊椎部分２４またはその両方に取付けることができる。ハンドルは容器１０の外側に添付しまたはウイング２２から切り出すことができる。さらに、例えばユーザが家から出る時に衣類などを搬送する旅行カバンとして使用できるように脊椎部分２４にキャスターを取付けることができる。
【００４６】
さらに、容器１０は所望の最終用途に対応するようにその内側に種々の特徴を備えることができる。例えば容器内側に、多量の小さな種々の製品または内容物を保持するための各種の区画を備えることができる。またウイング２２の内側面に多量の小さな製品または内容物を保持するためのフックまたはその他の取付け物を備えることができる。このような構造は、目的地に着いた時に製品を展示するディスプレー・ケースとして容器１０を使用する場合に有効である。本発明の主旨の範囲内においてその他多くの組合わせおよび変形が可能である。
【図面の簡単な説明】
【図１】  図１は開放位置にある本発明による容器の斜視図である。
【図２】  図２は図１の容器の閉鎖位置における瞬間的垂直断面図である。
【図３】  図３は図１の３−３線にそって取られた切断面の背後にある締結装置を示す瞬間的垂直断面図である。
【図４】  図４は開放位置と閉鎖位置との中間位置にある図１乃至図３の容器の瞬間的垂直断面図である。
【図５】  図５は本発明において使用するに適した容器の実施例の瞬間的垂直断面図であって、切断面が脊椎折り目に対して全体として平行に取られ、相異なる深さを有する中心区域と僅少な放射方向幅の周辺区域とを有する。
【図６】  図６は本発明において使用するに適した容器の実施例の瞬間的垂直断面図であって、切断面が脊椎折り目に対して全体として平行に取られ、その中に直立仕切りを有する構造を示す図である。
【図７】  図７は開放位置にあって容器直径に対して片寄った脊椎部分を有する本発明容器の実施例の平面図である。
【図８】  図８は閉鎖位置にある図７の容器の垂直断面図である。
【図９】  図９は本発明による容器の実施例の平面図であって、この容器は開放位置にあり、容器直径上に定心された共通点を有するが脊椎の幅がこの直径に対して片寄されている構造を示す図である。
【図１０】  図１０は閉鎖位置にある図９の容器の垂直断面図である。
【図１１】  図１１は別々の長軸および短軸を有しこれら両方に軸の回りに関節運動自在の容器の平面図である。
【図１２Ａ】  図１２Ａは脊椎折り目が集中しまた拡散する際の容器の遷移区域と周辺区域との間の対応関係および瞬間的角度を示す平面図である。
【図１２Ｂ】  図１２Ｂは容器が水平面からＺ方向に偏位する際の容器の遷移区域と周辺区域との間の対応関係および瞬間的角度を示す垂直断面図の一部を示す概略図である。
【図１】
0004439736.tif 000002
【図３】
0004439736.tif 000003
【図２】
0004439736.tif 000004
【図４】
0004439736.tif 000005
【図５】
0004439736.tif 000006
【図６】
0004439736.tif 000007
【図７】
0004439736.tif 000008
【図８】
0004439736.tif 000009
【図９】
0004439736.tif 000010
【図１０】
0004439736.tif 000011
【図１１】
0004439736.tif 000012
【図１２Ａ】
0004439736.tif 000013
【図１２Ｂ】
0004439736.tif 000014